【手続補正書】
【提出日】平成19年1月12日(2007.1.12)
【手続補正１】
【補正対象書類名】明細書
【補正対象項目名】０００１
【補正方法】変更
【補正の内容】
【０００１】
発明の背景  
流体流量計は、流体流量を測定し、流量表示器およびコントローラへ流量信号を供給するために産業プロセス制御環境内で用いられる。間接流量計は、パイプ内の不連続面付近の圧力低下を測定することによって、パイプ内の流体流量を測定する。不連続面（一次要素）は、オリフィス、ノズル、ベンチュリ、ピトー管、渦流発生棒、標板、あるいはパイプ内の単純な曲部でさえありうる。不連続面周辺の流れは、圧力を低下させ、また増大された攪流を生じる。圧力低下は、パイプの外側に配置され、インパルス線またはインパルス通路によってパイプ内の流体に接続される圧力伝送器（二次要素）によって感知される。信頼性は正しい較正を維持することに依存する。一次要素上の腐食や固形物の堆積が、較正を変化させることがある。インパルス線は時間が経つにつれて閉塞し、そのことも較正に不利な影響を及ぼす。
【手続補正２】
【補正対象書類名】明細書
【補正対象項目名】０００２
【補正方法】変更
【補正の内容】
【０００２】
インパルス線を取り外して点検することは、インパルス線の閉塞を検出して線を修理するために用いられる一つの方法である。閉塞を検出するための他の周知の方法は、圧力伝送器から測定信号に「検査パルス」を定期的に付加することである。この検査パルスによって、伝送器に接続された制御システムは流れを乱す。圧力伝送器が流れの乱れを正確に感知できない場合は、閉塞を示す警告信号が発せられる。閉塞を検出するための他の周知の方法は、静圧および差圧の両方を感知することである。静圧内の振動と差圧内の振動とが不適切な相互関係である場合には、閉塞を示す警告信号が発せられる。閉塞を検出するための、さらに別の周知の方法は、静圧を感知して、それらを低域通過フィルタおよび高域通過フィルタに通すことである。フィルタから取得されたノイズ信号は閾値と比較されて、ノイズ内の変化が閾値よりも小さい場合は、警告信号は線が封鎖されていることを示す。
【手続補正３】
【補正対象書類名】明細書
【補正対象項目名】００１９
【補正方法】変更
【補正の内容】
【００１９】
ここで、Ａは変動平均、Ｐは連続的に感知された圧力値の列、およびＷは感知された圧力値の重み、ｍは列内の過去に検出された圧力値の数である。差分回路４２内には、感知された圧力内のスパイクおよびその他の異常を濾波するための手当ても施されている。図４では、履歴データは、例えば差分出力の平均値（μ）および標準偏差（σ）あるいはその他の統計的測定値のような統計的データを含み、診断出力５４はインパルス線の閉塞を示す。計算回路４６は、インストールされる時には調整モードに、流量を測定するのに用いられる時には監視モードにスイッチで切換える。診断出力５４は圧力発生器２６の状態をリアルタイムで示す。
【手続補正４】
【補正対象書類名】明細書
【補正対象項目名】００２０
【補正方法】変更
【補正の内容】
【００２０】
図４では、平均値μおよび標準偏差σのような統計的データが、比較的に多数のデータポイントあるいは流量測定に基づいて計算される。サンプル平均値Ｘおよびサンプル標準偏差ｓのような対応するサンプルの統計的データが、比較的に少ないデータポイントから計算される。典型的には、μおよびσなどの統計的データを計算するためには数百のデータポイントが用いられ、一方Ｘおよびｓなどのサンプル統計的データを計算するためには約１０のデータポイントのみが用いられる。リアルタイムの、あるいは約１秒間に完了する診断のために、監視中のデータポイントの数は少なく維持される。診断回路５２は、サンプル標準偏差ｓが標準偏差σから予定値例えば１０％分ずれた場合に、線が閉塞していることを示す。
【手続補正５】
【補正対象書類名】明細書
【補正対象項目名】００２８
【補正方法】変更
【補正の内容】
【００２８】
図６には、インパルス線を介して一次流量要素に接続可能な圧力伝送器内で実行される診断方法のフローチャート１２０が示される。アルゴリズムは１２２で開始する。１２４に示されるように、差圧データから変動平均が引かれて差が計算される。調整モード中、計算された差分に関する履歴データが、例えば統計的データμおよびσとして１２６で取得され、記憶される。演算監視モード中、差分に関する最新値が統計的データＸおよびｓとして１２８で取得され、記憶される。インパルス線の状態を診断するために、より小さい最新データのサンプルが、より大きい履歴データのサンプルと比較される。１３２、１３４、１３６で履歴統計データと最新統計データとが比較されて、選択された診断伝送器出力が、それぞれ１３０、１３２、１３４、１３６でなされた比較の関数として１３８、１４０、１４２で発生させられる。ある診断出力が完了すると、プロセスは１４４に戻り監視モード診断を繰り返すか、または伝送器は修理されるまで遮断されることができる。診断プロセス自身の故障の場合、故障表示が１４６で診断出力として提供される。１２０の診断方法では、履歴データの組は計算された差分の平均値（μ）および標準偏差（σ）のデータのような統計データを含み、最新データの組は計算された差分のサンプル平均（Ｘ）およびサンプル偏差（ｓ）のような最新サンプル統計データを含む。例えば、インパルス線の閉塞を診断するために、サンプル偏差（ｓ）が標準偏差（σ）と比較される。その他周知の不確実な統計的測定、あるいはこの用法に適する経験的に開発された統計的測定も、平均値および標準偏差と同等に用いられることができる。Ｘとμとの差が非常に大きいような異常な流量状態の場合、診断は１３０に示されるように、通常の流量状態が再生されるまで一時的に停止されることができる。このことによって誤った警告表示が防止される。
【手続補正６】
【補正対象書類名】明細書
【補正対象項目名】００３１
【補正方法】変更
【補正の内容】
【００３１】
図１５では、フローチャートは一次要素（ＰＥ）とインパルス線（ＩＬ）の両方の診断を提供するプロセス１９０を示す。プログラムの流れは２００で始まる。２０２で示される調整モード中、変動平均を引いたセンサデータが取得されて、調整された振動数スペクトルおよび調整された統計が前述のように不揮発性メモリ内に記憶される。次に、（図６のプロセス１２８で説明されたような）インパルス線診断が図１５のステップ２０４で実行される。図１５では、インパルス線診断が実行された後で、２０６で（図６のプロセス１３０、１３２、１３４、１３６に説明されたような）最新インパルス線統計が履歴（調整）インパルス線統計と比較される。比較が、閉塞を伴うインパルス線の故障を示す場合には、２０８に示されるようにインパルス線警告が発生される。インパルス線に故障が認められない場合には、プログラムの流れは、２１０での一次要素（ＰＥ）診断に移る。プロセス２１０で、（図１４に関して前述したように）最新のリアルタイムデータのための振動数スペクトルが計算される。２１２で最新振動数スペクトルが履歴振動数スペクトルと比較されて、一次要素に故障があることを示すのに十分な大きい差がある場合には、２１４でＰＥ警告が発生させられる。振動数スペクトルの差が小さい場合には、２１６に示されるようにＰＥ警告は発生させられない。プログラムの流れは、ＩＬおよびＰＥ診断を繰り返すために２１８へ続くか、あるいはＰＥまたはＩＬ警告がある場合には、流量計は修理が実行されるまで遮断される。
【手続補正７】
【補正対象書類名】図面
【補正対象項目名】図４
【補正方法】変更
【補正の内容】
【図４】
2002538420.tif 000001
【手続補正８】
【補正対象書類名】図面
【補正対象項目名】図６
【補正方法】変更
【補正の内容】
【図６】
2002538420.tif 000002